(57)【要約】  本発明は、ランダムアクセス方法及び装置、コンピュータ記憶媒体を開示する。前記方法は、端末が、ネットワークからのページングメッセージを受信することと、前記端末が、前記ページングメッセージに関連するランダムアクセス制御情報を決定することと、前記端末が前記ランダムアクセス制御情報に基づいて、ランダムアクセスリソースを決定することと、前記端末が前記ランダムアクセスリソースを利用してランダムアクセスを開始することと、を含む。
2021511694.tif 000002
【特許請求の範囲】
【請求項１】
ランダムアクセス方法であって、
端末が、ネットワークからのページングメッセージを受信することと、
前記端末が、前記ページングメッセージに関連するランダムアクセス制御情報を決定することと、
前記端末が、前記ランダムアクセス制御情報に基づいて、ランダムアクセスリソースを決定することと、
前記端末が、前記ランダムアクセスリソースを利用してランダムアクセスを開始することと、を含む、前記方法。
【請求項２】
前記端末が前記ページングメッセージに関連するランダムアクセス制御情報を決定することは、
前記端末が、前記ページングメッセージからランダムアクセス制御情報を取得することを含むことを特徴とする
請求項１に記載の方法。
【請求項３】
前記端末が前記ページングメッセージに関連するランダムアクセス制御情報を決定することは、
前記端末が、所定のルールに基づいてランダムアクセス制御情報を決定することを含むことを特徴とする
請求項１に記載の方法。
【請求項４】
前記ページングメッセージに端末情報が含まれ、前記端末情報は少なくとも、端末のユーザ識別子、及びランダムアクセス制御情報を含むことを特徴とする
請求項２に記載の方法。
【請求項５】
所定のルールに基づいてランダムアクセス制御情報を決定することは、
前記端末が、端末のユーザ識別子に基づいてランダムアクセス制御情報を決定することを含むことを特徴とする
請求項３に記載の方法。
【請求項６】
前記ページングメッセージからランダムアクセス制御情報を取得することは、
前記端末が、ページングメッセージにおける端末のユーザ識別子の位置に基づいて、ランダムアクセス制御情報を決定することを含むことを特徴とする
請求項２に記載の方法。
【請求項７】
前記ランダムアクセス制御情報は、ランダムアクセス優先度情報、ランダムアクセスリソース情報及びランダムアクセス時間情報のうちの少なくとも１つを含むことを特徴とする
請求項２から６のいずれか一項に記載の方法。
【請求項８】
ランダムアクセス方法であって、
ネットワークが、端末にページングメッセージを送信することと、
前記ネットワークが、端末が前記ランダムアクセスリソースによって開始されたランダムアクセスを受信し、ここで、前記ランダムアクセスリソースは、前記ページングメッセージに関連するランダムアクセス制御情報に基づいて決定されることと、を含む、前記方法。
【請求項９】
前記方法は、
前記ネットワークが、前記ページングメッセージでランダムアクセス制御情報を指示することを更に含むことを特徴とする
請求項８に記載の方法。
【請求項１０】
前記ランダムアクセス制御情報は、所定のルールに基づいて決定されることを特徴とする
請求項８に記載の方法。
【請求項１１】
前記ネットワークが前記ページングメッセージでランダムアクセス制御情報を指示することは、
前記ネットワークが、前記ページングメッセージによって端末情報を搬送し、前記端末情報は少なくとも、端末のユーザ識別子、及びランダムアクセス制御情報を含むことを含むことを特徴とする
請求項９に記載の方法。
【請求項１２】
前記所定のルールは、
端末のユーザ識別子に基づいてランダムアクセス制御情報を決定することを含むことを特徴とする
請求項１０に記載の方法。
【請求項１３】
前記ネットワークが前記ページングメッセージでランダムアクセス制御情報を指示することは、
前記ネットワークが、前記ページングメッセージにおいて、ページングメッセージにおける端末のユーザ識別子の位置によって、ランダムアクセス制御情報を指示することを含むことを特徴とする
請求項９に記載の方法。
【請求項１４】
前記ランダムアクセス制御情報は、ランダムアクセス優先度情報、ランダムアクセスリソース情報及びランダムアクセス時間情報のうちの少なくとも１つを含むことを特徴とする
請求項９から１３のいずれか一項に記載の方法。
【請求項１５】
ランダムアクセス装置であって、
ネットワークからのページングメッセージを受信するように構成される受信ユニットと、
前記ページングメッセージに関連するランダムアクセス制御情報を決定するように構成される第１決定ユニットと、
前記ランダムアクセス制御情報に基づいて、ランダムアクセスリソースを決定するように構成される第２決定ユニットと、
前記ランダムアクセスリソースを利用してランダムアクセスを開始するように構成される送信ユニットとを備える、前記装置。
【請求項１６】
前記第１決定ユニットは具体的には、前記ページングメッセージからランダムアクセス制御情報を取得するように構成されることを特徴とする
請求項１５に記載の装置。
【請求項１７】
前記第１決定ユニットは具体的には、所定のルールに基づいてランダムアクセス制御情報を決定するように構成されることを特徴とする
請求項１５に記載の装置。
【請求項１８】
前記ページングメッセージに端末情報が含まれ、前記端末情報は少なくとも、端末のユーザ識別子、及びランダムアクセス制御情報を含むことを特徴とする
請求項１６に記載の装置。
【請求項１９】
前記第１決定ユニットは具体的には、端末のユーザ識別子に基づいてランダムアクセス制御情報を決定するように構成されることを特徴とする
請求項１７に記載の装置。
【請求項２０】
前記第１決定ユニットは具体的には、ページングメッセージにおける端末のユーザ識別子の位置に基づいて、ランダムアクセス制御情報を決定するように構成されることを特徴とする
請求項１６に記載の装置。
【請求項２１】
前記ランダムアクセス制御情報は、ランダムアクセス優先度情報、ランダムアクセスリソース情報及びランダムアクセス時間情報のうちの少なくとも１つを含むことを特徴とする
請求項１６から２０のいずれか一項に記載の装置。
【請求項２２】
ランダムアクセス装置であって、
端末にページングメッセージを送信するように構成される送信ユニットと、
端末が前記ランダムアクセスリソースによって開始されたランダムアクセスを受信するように構成され、ここで、前記ランダムアクセスリソースは、前記ページングメッセージに関連するランダムアクセス制御情報に基づいて決定される受信ユニットとを備える、前記装置。
【請求項２３】
前記装置は、
前記ページングメッセージでランダムアクセス制御情報を指示するように構成される指示ユニットを更に備えることを特徴とする
請求項２２に記載の装置。
【請求項２４】
前記ランダムアクセス制御情報は、所定のルールに基づいて決定されることを特徴とする
請求項２２に記載の装置。
【請求項２５】
前記指示ユニットは具体的には、前記ページングメッセージによって端末情報を搬送するように構成され、前記端末情報は少なくとも、端末のユーザ識別子、及びランダムアクセス制御情報を含むことを特徴とする
請求項２３に記載の装置。
【請求項２６】
前記所定のルールは、
端末のユーザ識別子に基づいてランダムアクセス制御情報を決定することを含むことを特徴とする
請求項２４に記載の装置。
【請求項２７】
前記指示ユニットは具体的には、前記ページングメッセージにおいて、ページングメッセージにおける端末のユーザ識別子の位置によって、ランダムアクセス制御情報を指示するように構成されることを特徴とする
請求項２３に記載の装置。
【請求項２８】
前記ランダムアクセス制御情報は、ランダムアクセス優先度情報、ランダムアクセスリソース情報及びランダムアクセス時間情報のうちの少なくとも１つを含むことを特徴とする
請求項２３から２７のいずれか一項に記載の装置。
【請求項２９】
コンピュータ記憶媒体であって、コンピュータによる実行可能な命令が記憶されており、該コンピュータによる実行可能な命令がプロセッサにより実行される時、請求項１から７のいずれか一項に記載の方法の工程、又は請求項８から１４のうちいずれか一項に記載の方法の工程を実現させる、前記コンピュータ記憶媒体。
【発明の詳細な説明】
【技術分野】
【０００１】
本発明は、無線通信技術分野に関し、特に、ランダムアクセス方法及び装置、コンピュータ記憶媒体に関する。
【背景技術】
【０００２】
長期的進化（ＬＴＥ：Ｌｏｎｇ  Ｔｅｒｍ  Ｅｖｏｌｕｔｉｏｎ）システムにおいて、ネットワークは、アイドル（ｉｄｌｅ）状態にある端末（ＵＥ：Ｕｓｅｒ  Ｅｑｕｉｐｍｅｎｔ）と接続（Ｃｏｎｎｅｃｔｉｏｎ）状態にあるＵＥに、ページングを送信することができる。ＵＥにとって、ＵＥは、１つの間欠受信（ＤＲＸ）周期内のページングフレーム（ＰＦ：Ｐａｇｉｎｇ  Ｆｒａｍｅ）におけるページングタイムユニットにおいて、ページングメッセージを受信する。
【０００３】
ＵＥは、自分のＵＥ＿ＩＤに基づいて、１つのＤＲＸ周期における、自分に属するページングタイムユニットの位置を決定し、更にページングメッセージを受信する。しかしながら、ＵＥ＿ＩＤは、異なるページングタイムユニットにおいて均一に分布されており、これらのページングタイムユニットにおいて、より多くのＵＥをページングすることができるために、幾つかのシナリオで、幾つかのページングタイムユニットに分布するＵＥ＿ＩＤの数を増加させる必要もある。しかしながら、ページングタイムユニットによりページングされるＵＥの数が多すぎる場合、多くのＵＥがページングメッセージを受信してからネットワークに対してランダムアクセスを開始し、ランダムアクセスリソースが限られるため、大量のランダムアクセスは、ネットワーク輻輳を起こしてしまう。
【発明の概要】
【発明が解決しようとする課題】
【０００４】
上記技術的課題を解決するために、本発明の実施例は、ランダムアクセス方法及び装置、コンピュータ記憶媒体を提供する。
【課題を解決するための手段】
【０００５】
本発明の実施例が提供するランダムアクセス方法は、
端末が、ネットワークからのページングメッセージを受信することと、
前記端末が、前記ページングメッセージに関連するランダムアクセス制御情報を決定することと、
前記端末が前記ランダムアクセス制御情報に基づいて、ランダムアクセスリソースを決定することと、
前記端末が前記ランダムアクセスリソースを利用してランダムアクセスを開始することと、を含む。
【０００６】
本発明の実施例において、前記端末が前記ページングメッセージに関連するランダムアクセス制御情報を決定することは、
前記端末が前記ページングメッセージからランダムアクセス制御情報を取得することを含む。
【０００７】
本発明の実施例において、前記端末が前記ページングメッセージに関連するランダムアクセス制御情報を決定することは、
前記端末が所定のルールに基づいてランダムアクセス制御情報を決定することを含む。
【０００８】
本発明の実施例において、前記ページングメッセージに端末情報が含まれ、前記端末情報は少なくとも、端末のユーザ識別子、及びランダムアクセス制御情報を含む。
【０００９】
本発明の実施例において、所定のルールに基づいてランダムアクセス制御情報を決定することは、
前記端末が端末のユーザ識別子に基づいてランダムアクセス制御情報を決定することを含む。
【００１０】
本発明の実施例において、所定のルールに基づいてランダムアクセス制御情報を決定することは、
前記端末がページングメッセージにおける端末のユーザ識別子の位置に基づいて、ランダムアクセス制御情報を決定することを含む。
【００１１】
本発明の実施例において、前記ランダムアクセス制御情報は、ランダムアクセス優先度情報、ランダムアクセスリソース情報及びランダムアクセス時間情報のうちの少なくとも１つを含む。
【００１２】
本発明の実施例が提供するランダムアクセス方法は、
ネットワークが端末にページングメッセージを送信することと、
前記ネットワークが、端末が前記ランダムアクセスリソースによって開始されたランダムアクセスを受信し、ここで、前記ランダムアクセスリソースは、前記ページングメッセージに関連するランダムアクセス制御情報に基づいて決定されることと、を含む。
【００１３】
本発明の実施例において、前記方法は、
前記ネットワークが前記ページングメッセージでランダムアクセス制御情報を指示することを更に含む。
【００１４】
本発明の実施例において、前記ランダムアクセス制御情報は、所定のルールに基づいて決定される。
【００１５】
本発明の実施例において、前記ネットワークが前記ページングメッセージでランダムアクセス制御情報を指示することは、
前記ネットワークが、前記ページングメッセージによって端末情報を搬送し、前記端末情報は少なくとも、端末のユーザ識別子、及びランダムアクセス制御情報を含むことを含む。
【００１６】
本発明の実施例において、前記所定のルールは、
端末のユーザ識別子に基づいてランダムアクセス制御情報を決定することを含む。
【００１７】
本発明の実施例において、前記ネットワークが前記ページングメッセージでランダムアクセス制御情報を指示することは、
前記ネットワークが前記ページングメッセージにおいて、ページングメッセージにおける端末のユーザ識別子の位置によって、ランダムアクセス制御情報を指示することを含む。
【００１８】
本発明の実施例において、前記ランダムアクセス制御情報は、ランダムアクセス優先度情報、ランダムアクセスリソース情報及びランダムアクセス時間情報のうちの少なくとも１つを含む。
【００１９】
本発明の実施例が提供するランダムアクセス装置は、
ネットワークからのページングメッセージを受信するように構成される受信ユニットと、
前記ページングメッセージに関連するランダムアクセス制御情報を決定するように構成される第１決定ユニットと、
前記ランダムアクセス制御情報に基づいて、ランダムアクセスリソースを決定するように構成される第２決定ユニットと、
前記ランダムアクセスリソースを利用してランダムアクセスを開始するように構成される送信ユニットとを備える。
【００２０】
本発明の実施例において、前記第１決定ユニットは具体的には、前記ページングメッセージからランダムアクセス制御情報を取得するように構成される。
【００２１】
本発明の実施例において、前記第１決定ユニットは具体的には、所定のルールに基づいてランダムアクセス制御情報を決定するように構成される。
【００２２】
本発明の実施例において、前記ページングメッセージに端末情報が含まれ、前記端末情報は少なくとも、端末のユーザ識別子、及びランダムアクセス制御情報を含む。
【００２３】
本発明の実施例において、前記第１決定ユニットは具体的には、端末のユーザ識別子に基づいてランダムアクセス制御情報を決定するように構成される。
【００２４】
本発明の実施例において、前記第１決定ユニットは具体的には、ページングメッセージにおける端末のユーザ識別子の位置に基づいて、ランダムアクセス制御情報を決定するように構成される。
【００２５】
本発明の実施例において、前記ランダムアクセス制御情報は、ランダムアクセス優先度情報、ランダムアクセスリソース情報及びランダムアクセス時間情報のうちの少なくとも１つを含む。
【００２６】
本発明の実施例が提供するランダムアクセス装置は、
端末にページングメッセージを送信するように構成される送信ユニットと、
端末が前記ランダムアクセスリソースによって開始されたランダムアクセスを受信するように構成され、前記ランダムアクセスリソースは、前記ページングメッセージに関連するランダムアクセス制御情報に基づいて決定される受信ユニットとを備える。
【００２７】
本発明の実施例において、前記装置は、
前記ページングメッセージでランダムアクセス制御情報を指示するように構成される指示ユニットを更に備える。
【００２８】
本発明の実施例において、前記ランダムアクセス制御情報は、所定のルールに基づいて決定される。
【００２９】
本発明の実施例において、前記指示ユニットは具体的には、前記ページングメッセージによって端末情報を搬送するように構成され、前記端末情報は少なくとも、端末のユーザ識別子、及びランダムアクセス制御情報を含む。
【００３０】
本発明の実施例において、前記所定のルールは、
端末のユーザ識別子に基づいてランダムアクセス制御情報を決定することを含む。
【００３１】
本発明の実施例において、前記指示ユニットは具体的には、前記ページングメッセージにおいて、ページングメッセージにおける端末のユーザ識別子の位置によって、ランダムアクセス制御情報を指示するように構成される。
【００３２】
本発明の実施例において、前記ランダムアクセス制御情報は、ランダムアクセス優先度情報、ランダムアクセスリソース情報及びランダムアクセス時間情報のうちの少なくとも１つを含む。
【００３３】
本発明の実施例が提供するコンピュータ記憶媒体は、コンピュータによる実行可能な命令が記憶されており、該コンピュータによる実行可能な命令がプロセッサにより実行される時、上記ランダムアクセス方法を実現させる。
【発明の効果】
【００３４】
本発明の実施例の技術的解決手段において、端末が、ネットワークからのページングメッセージを受信し、前記端末が、前記ページングメッセージに関連するランダムアクセス制御情報を決定し、前記端末が前記ランダムアクセス制御情報に基づいて、ランダムアクセスリソースを決定し、前記端末が前記ランダムアクセスリソースを利用してランダムアクセスを開始する。本発明の実施例の技術的解決手段を利用すれば、ページングタイムユニットにより同時にページングされるＵＥの数を増加させると共に、ページングされるＵＥが限られているランダムアクセスリソースにおいてランダムアクセスを開始することに起因する輻輳を避けることで、アクセス遅延を低減させ、ネットワークによるページング再開始に起因するリソースハンドオーバーを避ける。
【図面の簡単な説明】
【００３５】
【図１】基地局がビームによって無線信号を送信することを示す模式図である。
【図２】ＳＳ  ｂｌｏｃｋを示す模式図である。
【図３】異なるサブキャリア間隔及び周波数帯域におけるタイムロットの分布を示す図である。
【図４】異なるサブキャリア間隔におけるＳＳ  ｂｌｏｃｋの分布を示す図である。
【図５】ＳＳ  ｂｌｏｃｋの所在する所定の時間周波数リソースのｓｌｏｔにおける位置の分布を示す図である。
【図６】ＰＦとＰＯの分布を示す図である。
【図７】ＰＯの時間周波数リソースの分布を示す図である。
【図８】本発明の実施例によるランダムアクセス方法を示す第１フローチャートである。
【図９】本発明の実施例によるランダムアクセス装置の構成を示す第１模式図である。
【図１０】本発明の実施例によるランダムアクセス方法を示す第２フローチャートである。
【図１１】本発明の実施例によるランダムアクセス装置の構成を示す第２模式図である。
【図１２】本発明の実施例による端末の構成を示す模式図である。
【発明を実施するための形態】
【００３６】
ここで説明した図面は、本発明の一層の理解のために含めたものであり、本明細書に導入されてその一部となる。本発明の概略的な実施例及びその説明は、本発明の解説に用いるものであるが、本発明を不当に限定するものではない。
【００３７】
本発明の実施例の技術的解決手段を理解しやすくするために、以下、本発明の実施例に係るキーポイントとなる技術を説明する。
【００３８】
１）５Ｇにおけるビーム
５Ｇシステムに用いられる周波数帯域がＬＴＥシステムに比べて高いため、５Ｇシステムの無線信号伝送によるパスロスは、ＬＴＥシステムよりも大きく、５Ｇシステムの無線信号のカバレッジが小さくなってしまう。従って、５Ｇシステムにおいて、基地局のマルチアンテナシステムによって、ビームフォーミング（ｂｅａｍｆｏｒｍｉｎｇ）技術を利用してビームを形成することで無線信号のゲインを向上させ、パスロスを補う。ビームフォーミング技術において、ビームは指向性を有する。１つの狭ビームは、セルの一部領域のみをカバーすることができ、セルの全ての領域をカバーすることができない。図１に示すように、基地局は、４つの異なる方向のビーム（Ｂ１、Ｂ２、Ｂ３、Ｂ４）によって送信することができる。ビームＢ２は、ＵＥ１のみをカバーすることができ、ＵＥ２をカバーすることができない。
【００３９】
２）５Ｇにおける同期信号伝送ブロック（ＳＳ  ｂｌｏｃｋ：Ｓｙｎｃｈｒｏｎｉｚａｔｉｏｎ  Ｓｉｇｎａｌ  ｂｌｏｃｋ）
５Ｇシステムにおける、ブロードキャストチャネルや同期信号のような共通チャネルや共通信号は、セル内のＵＥがこれらの信号を受信することができるように、マルチビームの方式でセル全体をカバーする必要がある。同期信号のマルチビーム送信は、同期信号バーストセット（ＳＳ  ｂｕｒｓｔ  ｓｅｔ）を定義することで実現する。１つのＳＳ  ｂｕｒｓｔ  ｓｅｔは、１つ又は複数の同期信号バースト（ＳＳ  ｂｕｒｓｔ）を含み、１つのＳＳ  ｂｕｒｓｔは、１つ又は複数のＳＳ  ｂｌｏｃｋ（ＳＳＢと略称されてもよい）を含む。１つのＳＳ  ｂｌｏｃｋが１つのビームの同期信号及びブロードキャストチャネルを搬送するためのものであり、そのため、１つのＳＳ  ｂｕｒｓｔ  ｓｅｔは、セル範囲内のＳＳ  ｂｌｏｃｋ数（ＳＳ  ｂｌｏｃｋ  ｎｕｍｂｅｒ）個のビームの同期信号を含んでもよい。図２に示すように、１つのＳＳ  ｂｌｏｃｋには、１つのシンボルのプライマリー同期信号（ＰＳＳ）、１つのシンボルのセカンダリ同期信号（ＳＳＳ）及び２つのシンボルの物理ブロードキャストチャネル（ＰＢＣＨ：Ｐｈｙｓｉｃａｌ  Ｂｒｏａｄｃａｓｔ  Ｃｈａｎｎｅｌ）が含まれる。
【００４０】
１つのＳＳ  ｂｕｒｓｔ  ｓｅｔに含まれるＳＳ  ｂｌｏｃｋの数Ｌは、システムの周波数帯域によって決定され、例えば、
３ＧＨｚの周波数帯域では、Ｌは４であり、
３ＧＨｚ−６ＧＨｚの周波数帯域では、Ｌは８であり、
６ＧＨｚ−５２．６ＧＨｚの周波数帯域では、Ｌは６４である。
【００４１】
ＳＳ  ｂｕｒｓｔ  ｓｅｔは、その送信周期が、設定可能である。一例において、１つの周期内のＳＳ  ｂｕｒｓｔ  ｓｅｔは、５ｍｓの時間窓内で送信される。また、システムのサブキャリア間隔（ＳＣＳ：Ｓｕｂｃａｒｒｉｅｒ  Ｓｐａｃｉｎｇ）も設定可能である。異なるサブキャリア間隔と周波数帯域におけるスロットの分布は、図３に示すとおりである。図３において、上から下へ、それぞれ
１５ＫＨｚ  ＳＣＳであってＬ＝４（３ＧＨｚの周波数帯域に対応する）であるＳＳ  ｂｕｒｓｔ  ｓｅｔのスロットの分布、
１５ＫＨｚ  ＳＣＳであってＬ＝８（３ＧＨｚ−６ＧＨｚの周波数帯域に対応する）であるＳＳ  ｂｕｒｓｔ  ｓｅｔのスロットの分布、
３０ＫＨｚ  ＳＣＳであってＬ＝４（３ＧＨｚの周波数帯域に対応する）であるＳＳ  ｂｕｒｓｔ  ｓｅｔのスロットの分布、
３０ＫＨｚ  ＳＣＳであってＬ＝８（３ＧＨｚ−６ＧＨｚの周波数帯域に対応する）であるＳＳ  ｂｕｒｓｔ  ｓｅｔのスロットの分布、
１２０ＫＨｚ  ＳＣＳであってＬ＝６４（６ＧＨｚ−５２．６ＧＨｚ）であるＳＳ  ｂｕｒｓｔ  ｓｅｔのスロットの分布、
２４０ＫＨｚ  ＳＣＳであってＬ＝６４（６ＧＨｚ−５２．６ＧＨｚ）であるＳＳ  ｂｕｒｓｔ  ｓｅｔのスロットの分布が示される。
【００４２】
更に１つのスロット（ｓｌｏｔ）におけるＳＳ  ｂｌｏｃｋの分布は、１つのスロットが、１４個のシンボル（ｓｙｍｂｏｌ）を含み、最大２つのＳＳ  ｂｌｏｃｋを搬送することができる。異なるサブキャリア間隔におけるＳＳ  ｂｌｏｃｋの分布は、図４に示すとおりである。図４において、上から下へ、それぞれ
１５ＫＨｚ  ＳＣＳにおける１つのスロット内のＳＳ  ｂｌｏｃｋの分布、
３０ＫＨｚ  ＳＣＳにおける１つのスロット内のＳＳ  ｂｌｏｃｋの第１分布、
３０ＫＨｚ  ＳＣＳにおける１つのスロット内のＳＳ  ｂｌｏｃｋの第２分布、
１２０ＫＨｚ  ＳＣＳにおける１つのスロット内のＳＳ  ｂｌｏｃｋの分布、
２４０ＫＨｚ  ＳＣＳにおける１つのスロット内のＳＳ  ｂｌｏｃｋの分布が示される。
【００４３】
上記考案において、ＳＳ  ｂｌｏｃｋの数Ｌがシステムの周波数帯域によって決定されるが、Ｌは、ＳＳ  ｂｌｏｃｋに対応する最大数に過ぎず、ネットワークから実際に送信されたＳＳ  ｂｌｏｃｋの数は、Ｌ未満である可能性がある。ＵＥでレートマッチングを容易にするために、ネットワークから実際に送信されるＳＳ  ｂｌｏｃｋの数をＵＥに指示する必要がある。ＳＳ  ｂｌｏｃｋを送信しない時間周波数リソース位置は、物理下り共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）のような他のチャネルの伝送に用いられてもよい。ここで、ネットワークから実際に送信されたＳＳ  ｂｌｏｃｋの情報は、ＲＭＳＩによって指示される。
【００４４】
ＳＳ  ｂｌｏｃｋの所在する所定の時間周波数リソースのｓｌｏｔにおける位置分布は、図５に示すとおりである。しかしながら、ＳＳ  ｂｌｏｃｋの周期の相違、加えて実際に送信されるＳＳ  ｂｌｏｃｋも相違しているため、所定の時間周波数リソースにおいて必ずしもＳＳ  ｂｌｏｃｋを送信するとは限らないため、これらの所定の時間周波数リソースをＳＳ  ｂｌｏｃｋの名目リソース（ｎｏｍｉｎａｌ  ｒｅｓｏｕｒｃｅ）と呼ぶ。
【００４５】
３）ＬＴＥにおけるページング
ＬＴＥシステムにおいて、ネットワークは、アイドル（ｉｄｌｅ）状態にあるＵＥ及び接続（Ｃｏｎｎｅｃｔｉｏｎ）状態にあるＵＥにページングを送信することができる。ページングプロセスは、コアネットワークによりトリガされるか、又は基地局によりトリガされてもよく、ｉｄｌｅ状態にあるＵＥにページング要求を送信するように用いられるか、又はシステム情報の更新をＵＥに通信するように用いられるか、緊急地震津波速報（ＥＴＷＳ）及び商用移動体警報サービス（ＣＭＡＳ）等の情報の受信をＵＥに通信するように用いられる。基地局は、コアネットワークからのページングメッセージを受信した後、ページングメッセージを解析し、ＵＥのトラッキングエリア識別子リスト（ＴＡ  ｌｉｓｔ：Ｔｒａｃｋｉｎｇ  Ａｒｅａ  Ｉｄｅｎｔｉｔｙ  ｌｉｓｔ）を得て、ＴＡ  ｌｉｓｔにおけるトラッキングエリアに属するセル対して、エアインターフェースによるページングを行う。更に、基地局は、コアネットワークからのページングメッセージを受信した後、ＰＯが同じであるページングメッセージを１つのページングメッセージにまとめ、ページングチャネルによって関連ＵＥに伝送する。ＵＥは、システムメッセージによってページングパラメータを受信し、自分の国際移動体加入者識別番号（ＩＭＳＩ：Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ  Ｎｕｍｂｅｒ）を参照しながらＰＯを算出し、ＰＯに基づいて、対応する時点でページングメッセージを受信する。ここで、ページングメッセージは、ＰＤＳＣＨによって搬送され、ＵＥは、Ｐ−ＲＮＴＩでスクランブリングされた物理下り制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）を検出することでページング指示情報を取得することにより、ＰＤＳＣＨにおいてページングメッセージを受信する。更に、Ｉｄｌｅ状態にあるＵＥは、ＤＲＸの方式で省電力化を図り、ＵＥは、ＳＩＢ２からＤＲＸに関連する情報を取得する。１つのＤＲＸ周期のＰＦにおけるＰＯにおいて、Ｐ−ＲＮＴＩでスクランブリングされたＰＤＣＣＨを監視することでページングメッセージを受信する。
【００４６】
上記考案において、ＰＦは、ページングメッセージがどのシステムフレーム番号に現れるかを表す。ＰＯは、ページングメッセージが現れるサブフレーム時刻を表す。１つのＰＦフレームは、１つ又は複数のＰＯサブフレームを含んでもよい。各ＤＲＸ周期又はページング周期（Ｐａｇｉｎｇ  Ｃｙｃｌｅ）において、ＵＥは、自分に属するＰＯサブフレームを監視することだけでよい。ＰＦとＰＯの分布は、図６に示すとおりである。下記式を満たすシステムフレーム番号（ＳＦＮ）は１つのＰＦフレームとすることができる。
【００４７】
ＳＦＮ  ｍｏｄ  Ｔ＝（Ｔ  ｄｉｖ  Ｎ）×（ＵＥ＿ＩＤ  ｍｏｄ  Ｎ）
ここで、Ｔは、ＵＥのＤＲＸ周期又はページング周期を表す。ＳＩＢ２によって搬送されるデフォルトページング周期をＴ＿ｓｉｂとし、ＵＥのＤＲＸ値Ｔ＿ｕｅが設定されている場合、Ｔ＝ｍｉｎ（Ｔ＿ｕｅ，Ｔ＿ｓｉｂ）であり、Ｔ＿ｕｅとＴ＿ｓｉｂとの小さな値を取ることを表す。Ｔ＿ｕｅが設定されていない場合、Ｔ＝Ｔ＿ｓｉｂである。ＵＥ＿ＩＤ＝（ＩＭＳＩ  ｍｏｄ  １０２４）とは、全てのＩＭＳＩを１０２４個のＵＥグループに分け、ＩＭＳＩが各ユーザにとって一意的なものであることを指す。Ｎ＝ｍｉｎ（Ｔ，ｎＢ）は、ＴとｎＢとの小さな値を取ることを表し、ここで、パラメータｎＢは、ページングの密度を表し、ｎＢは、ＳＩＢ２によって搬送され、その数値範囲が｛４Ｔ，２Ｔ，Ｔ，Ｔ／２，Ｔ／４，Ｔ／８，Ｔ／１６，Ｔ／３２｝であるため、Ｎの数値範囲は、｛Ｔ，Ｔ／２，Ｔ／４，Ｔ／８，Ｔ／１６，Ｔ／３２｝である。実際に、Ｎは、各周期内にどれくらいのＰＦが含まれるかを表す。
【００４８】
ＰＯサブフレームの位置は、ＬＴＥ方式のタイプ（ＦＤＤであるか、あるいはＴＤＤであるか）、パラメータＮｓ及びｉ＿ｓによって共同で决定される。ここで、Ｎｓは、各ＰＦにはどれくらいのページングフレームが含まれるかを表し、ｉ＿ｓは、ページングサブフレームのインデックスを表し、Ｎｓ＝ｍａｘ（１，ｎＢ／Ｔ），ｉ＿ｓ＝ｆｌｏｏｒ（ＵＥ＿ＩＤ／Ｎ）ｍｏｄ  Ｎｓである。表１、表２に示すように、ＮＳの値は、１、２、４という３つの値だけがある。例えば、現在、ＬＴＥ−ＦＤＤ方式であって、Ｎｓ＝４であれば、ｉ＿ｓ＝０である場合、ＰＯ＝０であり、ページングメッセージは、０番目のサブフレームで送信され、ｉ＿ｓ＝２である場合、ＰＯ＝５であり、ページングメッセージは、５番目のサブフレームで送信される。最後に、ＵＥは、セル内のＰＯ及び自分のＵＥ＿ＩＤに基づいて、１つの周期内の自分に属するＰＯの位置を決定する。このような方法によれば、ＵＥは、異なるＰＯに均一に分割される。
【００４９】
【表１】
2021511694.tif 000003
【００５０】
４）５Ｇにおけるページング
５Ｇにおいて、１つのＰＯの時間周波数リソースの定義について、１つの定義において、ＳＳ  ｂｌｏｃｋに対応するｎｏｍｉｎａｌ  ｒｅｓｏｕｒｃｅは、ＰＯ内の、ページングメッセージを搬送する時間周波数リソースとして用いられる。図７に示すように、実際にＳＳ  ｂｌｏｃｋを送信するｎｏｍｉｎａｌ  ｒｅｓｏｕｒｃｅの所在するシンボルにおいて、ＰＯに対応する時間周波数リソースは、ｎｏｍｉｎａｌ  ｒｅｓｏｕｒｃｅに対応する時間周波数リソースと周波数分割される。このようなＰＯに対応する時間周波数リソースタイプは、第１時間周波数リソースタイプと呼ばれる。ＳＳ  ｂｌｏｃｋを送信しないｎｏｍｉｎａｌ  ｒｅｓｏｕｒｃｅの所在するシンボルにおいて、ＰＯに対応する時間周波数リソースは、ｎｏｍｉｎａｌ  ｒｅｓｏｕｒｃｅに対応する時間周波数リソースを含んでもよく、このようなＰＯに対応する時間周波数リソースタイプは、第２時間周波数リソースタイプと呼ばれる。
【００５１】
図７におけるＰＯの２つの時間周波数リソースタイプは、その時間周波数リソースの大きさが異なるため、搬送可能なページングメッセージの能力も異なる。特に、第１時間周波数リソースタイプは、ＰＯに対応する時間周波数リソースがｎｏｍｉｎａｌ  ｒｅｓｏｕｒｃｅに対応する時間周波数リソースと周波数分割されており、また、全周波数帯域幅がＵＥの最小周波数帯域幅能力を満たす必要があるため、ページングメッセージを搬送するための周波数帯域幅は極めて限られている。それと同時に、ビーム走査の方式でページングメッセージを送信するため、オーバーヘッドが巨大となる。オーバーヘッドを節約する方法の１つは、各ＰＯのページング可能なＵＥの数を増加することで、ページングメッセージ送信の総回数を低減させる。このような２つの時間周波数リソースタイプのＰＯは、そのリソースの大きさが異なるため、差別的なページング能力を用いることができ、それに対して、ＬＴＥにおいて、全てのＵＥ（ＵＥ＿ＩＤに対応する）は均一に各ＰＯに分割される。
【００５２】
ＬＴＥを例とすれば、ＵＥ＿ＩＤ＝（ＩＭＳＩ  ｍｏｄ  １０２４）とは、全てのＩＭＳＩを１０２４個のＵＥグループに分け、ここで、各ＵＥグループ内のＵＥは同じＵＥ＿ＩＤに対応する。異なるＵＥ＿ＩＤは、公式ｉ＿ｓ＝ｆｌｏｏｒ（ＵＥ＿ＩＤ／Ｎ）ｍｏｄ  Ｎｓに基づいてその所在するＰＯを算出し、即ちＰＯ＝ｆ（ＵＥ＿ＩＤ，Ｎ，Ｎｓ）である。ＬＴＥにおいて、ＵＥ＿ＩＤは異なるＰＯに均一に分布する。例えば、ｎＢ＝３２である場合、１つのＤＲＸ周期（ＤＲＸ  ｃｙｃｌｅ）には３２個のＰＯが存在し、各ＰＯには、１０２４／３２＝３２個のＵＥ＿ＩＤが存在する。
【００５３】
本発明の実施例において、ＰＯにおけるＵＥ＿ＩＤの分布は不均一であり得る。幾つかのＰＯにおいて、多くのＵＥ＿ＩＤが分布してもよく、別のＰＯにおいて、少ないＵＥ＿ＩＤが分布してもよい。ＰＯに分布しているＵＥ＿ＩＤが増加した場合、該ＰＯによりページングされるＵＥの数は多くなる。ネットワークがＵＥにページングを送信し、ＵＥがページングメッセージを受信してから、自分がページングされていることを発見した場合、ＵＥは、ネットワークに対してランダムアクセスを開始し、ネットワークと無線リソース制御（ＲＲＣ：Ｒａｄｉｏ  Ｒｅｓｏｕｒｃｅ  Ｃｏｎｔｒｏｌ）接続を確立する。幾つかのＰＯによりページングされるＵＥの数の増加により、多くのＵＥは続いてランダムアクセスを開始する。ランダムアクセスリソースが限られるため、ネットワーク輻輳を起こしてしまう。特に５Ｇにおいて、ランダムアクセスリソースはＳＳ  ｂｌｏｃｋに関連しており、即ち、一定のビームによって送信されるＳＳ  ｂｌｏｃｋに一組のランダムアクセスリソースがバインドされており、ＵＥは、該ランダムアクセスリソースを利用してランダムアクセスを開始する。ネットワークは対応する受信ビームによって、該ランダムアクセスリソース上で送信されたランダムアクセスを受信する。よって、各ＳＳ  ｂｌｏｃｋに関連付けられているランダムアクセスリソースは限られている。
【００５４】
ページングに起因するランダムアクセス輻輳の課題を解決するために、本発明の実施例は、下記技術的解決手段を提出する。
【００５５】
図８は本発明の実施例によるランダムアクセス方法を示す第１フローチャートである。図８に示すように、前記ランダムアクセス方法は、下記ステップを含む。
【００５６】
ステップ８０１において、端末が、ネットワークからのページングメッセージを受信する。
【００５７】
ステップ８０２において、前記端末が、前記ページングメッセージに関連するランダムアクセス制御情報を決定する。
【００５８】
ここで、ランダムアクセス制御情報は、ランダムアクセスを送信するためのランダムアクセスリソースを端末に指示するためのものである。異なる端末は、異なるランダムアクセスリソースに対応することが可能である。
【００５９】
一実施形態において、ランダムアクセス制御情報の実現方式は、下記２つの方式を含んでもよいが、これらに限定されない。
【００６０】
第１方式：前記端末が、前記ページングメッセージからランダムアクセス制御情報を取得する。
【００６１】
具体的には、前記ページングメッセージに端末情報が含まれ、前記端末情報は少なくとも、端末のユーザ識別子、及びランダムアクセス制御情報を含む。
【００６２】
対応的に、端末がページングメッセージを受信した後、まず前記ページングメッセージにおける端末のユーザ識別子が自分のユーザ識別子と一致するかどかを判定する。前記ページングメッセージにおける端末のユーザ識別子が自分のユーザ識別子と一致する場合、前記端末は、前記ページングメッセージから前記ランダムアクセス制御情報を抽出する。
【００６３】
第２方式：前記端末が所定のルールに基づいてランダムアクセス制御情報を決定する。
【００６４】
一実施形態において、前記端末は、端末のユーザ識別子に基づいてランダムアクセス制御情報を決定する。
【００６５】
別の実施形態において、前記端末は、ページングメッセージにおける端末のユーザ識別子の位置に基づいて、ランダムアクセス制御情報を決定する。
【００６６】
ステップ８０３において、前記端末が前記ランダムアクセス制御情報に基づいて、ランダムアクセスリソースを決定する。
【００６７】
本発明の実施例において、前記ランダムアクセス制御情報は、ランダムアクセス優先度情報、ランダムアクセスリソース情報及びランダムアクセス時間情報のうちの少なくとも１つを含む。
【００６８】
ランダムアクセス制御情報がランダムアクセス優先度情報である場合を例とすれば、異なるランダムアクセス優先度は、異なるランダムアクセスリソースに対応する。端末がサブフレームｎにおいてページングメッセージを受信するとすれば、端末がランダムアクセス優先度に基づいて決定したランダムアクセスリソースはサブフレームｎ＋ｋであり、ただし、ｋは正整数である。ここで、アクセス優先度が低いほど、対応するｋの値は大きくなる。
【００６９】
ランダムアクセス制御情報がランダムアクセスリソース情報である場合を例とすれば、ランダムアクセスリソース情報は時間周波数リソース情報であってもよいし、プリアンブルインデックス（ｐｒｅａｍｂｌｅ  ｉｎｄｅｘ）情報であってもよい。
【００７０】
ランダムアクセス制御情報がランダムアクセス時間情報である場合を例とすれば、ランダムアクセスリソース情報は、ランダムアクセス時点、開始時間等を含む。
【００７１】
ステップ８０２における第１方式に対応するように、前記端末が前記ページングメッセージからランダムアクセス制御情報を取得する。その例は以下のとおりである。
【００７２】
ＬＴＥシステムを例とすれば、ページングメッセージブロックに、ページングされるＵＥのサービング一時的移動体加入者識別子（Ｓ−ＴＭＳＩ：Ｓｅｒｖｉｎｇ−Ｔｅｍｐｏｒａｒｙ  Ｍｏｂｉｌｅ  Ｓｕｂｓｃｒｉｂｅｒ  Ｉｄｅｎｔｉｔｙ）が含まれ、Ｓ−ＴＭＳＩは、４０ｂｉｔｓを含む。ＵＥは、自分のＰＯで、ページングメッセージを受信することで、それに自分のＳ−ＴＭＳＩが含まれるかを判定する。ページングメッセージには自分のＳ−ＴＭＳＩが含まれる場合、自分がページングされていると判定する。これを基に、Ｓ−ＴＭＳＩに１ビットの情報を追加し、それが、該ページングされるＵＥに対応するランダムアクセス優先度を識別するために用いられる。例えば、当該ビットが１である場合、高優先度を表し、ＵＥがサブフレームｎでページングメッセージを受信し、利用可能なランダムアクセスチャネル（ＲＡＣＨ：Ｒａｎｄｏｍ  Ａｃｃｅｓｓ  Ｃｈａｎｎｅｌ）リソースを有する最初のサブフレームｎ＋ｋ１で、ランダムアクセスプリアンブル（ｐｒｅａｍｂｌｅ）を送信する。当該ビットが０である場合、低優先度を表し、ＵＥがサブフレームｎでページングメッセージを受信し、利用可能なＲＡＣＨリソースを有する最初のサブフレームｎ＋ｋ２でランダムアクセスプリアンブル（ｐｒｅａｍｂｌｅ）を送信する。ただし、Ｋ１≧６であり、Ｋ２≧１０である。
【００７３】
上記例において、ランダムアクセス優先度は１つのビットで表される。より多くのランダムアクセス優先度を実現させるために、ランダムアクセス優先度がより多くのビットで示されてよいことは、当業者であれば理解すべきである。なお、上記例は、ＬＴＥシステムを例とするが、本発明の実施例の技術的解決手段は、５Ｇシステムのような他のより多くのタイプの通信システムに適用可能である。
【００７４】
ステップ８０２における第２方式に対応するように、前記端末が所定のルールに基づいてランダムアクセス制御情報を決定する。その例は以下のとおりである。
【００７５】
１）前記端末が端末のユーザ識別子に基づいてランダムアクセス制御情報を決定する。
【００７６】
具体的には、端末はサブフレームｎでページングメッセージを受信し、自分のユーザ識別子に基づいてランダムアクセス制御情報を算出する。端末は、前記ランダムアクセス制御情報に基づいて、ランダムアクセスリソースがサブフレームｎ＋ｋであると決定する。ただし、ｋは正整数である。ここで、異なるランダムアクセス制御情報は、異なるｋ値に対応してもよい。
【００７７】
ＬＴＥシステムを例とすれば、ページングされたＵＥは、自分のＳ−ＴＭＳＩに基づいてランダムアクセス制御情報を決定する。例えば、Ｓ−ＴＭＳＩ  ｍｏｄ  ２＝０である場合、ＵＥはサブフレームｎでページングメッセージを受信し、利用可能なＲＡＣＨリソースを有する最初のサブフレームｎ＋ｋ１でランダムアクセスｐｒｅａｍｂｌｅを送信する。Ｓ−ＴＭＳＩ  ｍｏｄ  ２＝１である場合、ＵＥはサブフレームｎでページングメッセージを受信し、利用可能なＲＡＣＨリソースを有する最初のサブフレームｎ＋ｋ２でランダムアクセスｐｒｅａｍｂｌｅを送信する。ただし、Ｋ１≧６であり、Ｋ２≧１０である。
【００７８】
２）前記端末がページングメッセージにおける端末のユーザ識別子の位置に基づいて、ランダムアクセス制御情報を決定する。
【００７９】
具体的には、端末はサブフレームｎでページングメッセージを受信し、ページングメッセージにおける自分のユーザ識別子の位置に基づいてランダムアクセス制御情報を算出する。端末は、前記ランダムアクセス制御情報に基づいて、ランダムアクセスリソースをサブフレームｎ＋ｋと決定する。ただし、ｋは正整数である。ここで、異なるランダムアクセス制御情報は、異なるｋ値に対応してもよい。
【００８０】
ステップ８０４において、前記端末が前記ランダムアクセスリソースを利用してランダムアクセスを開始する。
【００８１】
本発明の実施例の技術的解決手段を利用すれば、ＰＯにより同時にページングされるＵＥの数を増加させると共に、ページングされるＵＥが限られているランダムアクセスリソースにおいてランダムアクセスを開始することに起因する輻輳を避けることで、アクセス遅延を低減させ、ネットワークによるページング再開始に起因するリソースハンドオーバーを避ける。
【００８２】
図９は、本発明の実施例によるランダムアクセス装置の構成を示す第１模式図である。図９に示すように、前記ランダムアクセス装置は、
ネットワークからのページングメッセージを受信するように構成される受信ユニット９０１と、
前記ページングメッセージに関連するランダムアクセス制御情報を決定するように構成される第１決定ユニット９０２と、
前記ランダムアクセス制御情報に基づいて、ランダムアクセスリソースを決定するように構成される第２決定ユニット９０３と、
前記ランダムアクセスリソースを利用してランダムアクセスを開始するように構成される送信ユニット９０４とを備える。
【００８３】
一実施形態において、前記第１決定ユニット９０２は具体的には、前記ページングメッセージからランダムアクセス制御情報を取得するように構成される。
【００８４】
一実施形態において、前記第１決定ユニット９０２は具体的には、所定のルールに基づいてランダムアクセス制御情報を決定するように構成される。
【００８５】
一実施形態において、前記ページングメッセージに端末情報が含まれ、前記端末情報は少なくとも、端末のユーザ識別子、及びランダムアクセス制御情報を含む。
【００８６】
一実施形態において、前記第１決定ユニット９０２は具体的には、端末のユーザ識別子に基づいてランダムアクセス制御情報を決定するように構成される。
【００８７】
一実施形態において、前記第１決定ユニット９０２は具体的には、ページングメッセージにおける端末のユーザ識別子の位置に基づいて、ランダムアクセス制御情報を決定するように構成される。
【００８８】
一実施形態において、前記ランダムアクセス制御情報は、ランダムアクセス優先度情報、ランダムアクセスリソース情報及びランダムアクセス時間情報のうちの少なくとも１つを含む。
【００８９】
上述したランダムアクセス方法に関連する説明を参照しながら、図９に示したランダムアクセス装置における各ユニットの機能を理解できることが当業者であれば理解すべきである。図９に示すランダムアクセス装置における各ユニットの機能は、プロセッサ上で実行されるプログラムによって実現してもよいし、具体的な論理回路によって実現してもよい。
【００９０】
図１０は、本発明の実施例によるランダムアクセス方法を示す第２フローチャートである。図１０に示すように、前記ランダムアクセス方法は下記ステップを含む。
【００９１】
ステップ１００１：ネットワークが端末にページングメッセージを送信する。
【００９２】
ステップ１００２：前記ネットワークが、端末が前記ランダムアクセスリソースによって開始されたランダムアクセスを受信し、ここで、前記ランダムアクセスリソースは、前記ページングメッセージに関連するランダムアクセス制御情報に基づいて決定される。
【００９３】
一実施形態において、前記ネットワークが前記ページングメッセージでランダムアクセス制御情報を指示する
具体的には、１）前記ネットワークが、前記ページングメッセージによって端末情報を搬送し、前記端末情報は少なくとも、端末のユーザ識別子、及びランダムアクセス制御情報を含む。２）前記ネットワークが前記ページングメッセージにおいて、ページングメッセージにおける端末のユーザ識別子の位置によって、ランダムアクセス制御情報を指示する。
【００９４】
別の実施形態において、前記ランダムアクセス制御情報は所定のルールによって決定される。
【００９５】
具体的には、前記所定のルールは、端末のユーザ識別子に基づいてランダムアクセス制御情報を決定することを含む。
【００９６】
本発明の実施例において、前記ランダムアクセス制御情報は、ランダムアクセス優先度情報、ランダムアクセスリソース情報及びランダムアクセス時間情報のうちの少なくとも１つを含む。
【００９７】
図１１は、本発明の実施例によるランダムアクセス装置の構成を示す第２模式図である。図１１に示すように、前記装置は、
端末にページングメッセージを送信するように構成される送信ユニット１１０１と、
端末が前記ランダムアクセスリソースによって開始されたランダムアクセスを受信するように構成され、前記ランダムアクセスリソースは、前記ページングメッセージに関連するランダムアクセス制御情報に基づいて決定される受信ユニット１１０２とを備える。
【００９８】
一実施形態において、前記装置は、
前記ページングメッセージでランダムアクセス制御情報を指示するように構成される指示ユニット１１０３を更に備える。
【００９９】
一実施形態において、前記ランダムアクセス制御情報は、所定のルールに基づいて決定される。
【０１００】
一実施形態において、前記指示ユニット１１０３は具体的には、前記ページングメッセージによって端末情報を搬送するように構成され、前記端末情報は少なくとも、端末のユーザ識別子、及びランダムアクセス制御情報を含む。
【０１０１】
一実施形態において、前記所定のルールは、
端末のユーザ識別子に基づいてランダムアクセス制御情報を決定することを含む。
【０１０２】
一実施形態において、前記指示ユニット１１０３は具体的には、前記ページングメッセージにおいて、ページングメッセージにおける端末のユーザ識別子の位置によって、ランダムアクセス制御情報を指示するように構成される。
【０１０３】
一実施形態において、前記ランダムアクセス制御情報は、ランダムアクセス優先度情報、ランダムアクセスリソース情報及びランダムアクセス時間情報のうちの少なくとも１つを含む。
【０１０４】
本発明の実施例の上記ランダムアクセス装置は、ソフトウェア機能ユニットの形で実現され、かつ独立した製品として販売または使用されるとき、コンピュータにより読み取り可能な記憶媒体内に記憶されてもよい。このような理解のもと、本発明の技術的解決手段は、本質的に、又は、従来技術に対して貢献をもたらした部分又は該技術的解決手段の一部は、ソフトウェア製品の形式で具現することができ、このようなコンピュータソフトウェア製品は、記憶媒体に記憶しても良く、また、コンピュータ設備（パソコン、サーバ、又はネットワーク装置など）に、本発明の各実施例に記載の方法の全部又は一部のステップを実行させるための若干の命令を含む。前記の記憶媒体は、Ｕディスク、リムーバブルハードディスク、読み出し専用メモリ（ＲＯＭ：Ｒｅａｄ−ｏｎｌｙ  Ｍｅｍｏｒｙ）、ディスク、又は光ディスクなど、プログラムコードを記憶可能な各種の媒体を含む。従って、本発明の実施例は、如何なる特定のハードウェアとソフトウェアの組み合わせにも限定されない。
【０１０５】
なお、本発明の実施例は、コンピュータによる実行可能な命令が記憶されているコンピュータ記憶媒体を更に提供し、該コンピュータによる実行可能な命令がプロセッサにより実行される時、本発明の実施例のランダムアクセス方法を実現させる。
【０１０６】
図１２は、本発明の実施例による端末の構成を示す模式図である。図１２に示すように、端末１２０は、１つ又は複数の（図面には１つのみが示される）プロセッサ１２０２（プロセッサ１２０２は、マイクロプロセッサ（ＭＣＵ：Ｍｉｃｒｏ  Ｃｏｎｔｒｏｌｌｅｒ  Ｕｎｉｔ）又はプログラマブルロジックデバイス（ＦＰＧＡ：Ｆｉｅｌｄ  Ｐｒｏｇｒａｍｍａｂｌｅ  Ｇａｔｅ  Ａｒｒａｙ）等の処理装置を含んでもよいが、これに限定されない）、データを記憶するためのメモリ１２０４、及び通信のための伝送装置１２０６を備えてもよい。図１２に示した構成は模式的なものに過ぎず、上記電子装置の構成を限定するものではないことは、当業者であれば、理解すべきである。例えば、端末１２０は、図１２に示したものより多くユニット又は少ないユニットを備えてもよいし、図１２に示したものと異なる構成を備えてもよい。
【０１０７】
メモリ１２０４は、本発明の実施例におけるランダムアクセス方法に対応するプログラム命令／モジュールのようなアプリケーションのソフトウェアプログラム及びモジュールを記憶するためのものである。プロセッサ１２０２は、メモリ１２０４に記憶されているソフトウェアプログラム及びモジュールを実行することで、異なる機能の適用及びデータ処理を実行し、つまり上記方法を実現させる。メモリ１２０４は、高速ランダムメモリを含んでもよいし、１つ又は複数の磁気記憶装置、フラッシュメモリ、その他の不揮発性固体記憶装置のような不揮発性メモリを含んでもよい。幾つかの実例において、メモリ１２０４は、プロセッサ１２０２に対して遠隔に設けられるメモリを更に含んでもよい。これらのリモートメモリは、ネットワークを介して端末１２０に接続される。上記ネットワークは、インターネット、イントラネット、ローカルエリアネットワーク、移動体通信ネットワーク及びこれらの組み合わせを含むが、これらに限定されない。
【０１０８】
伝送装置１２０６は、ネットワークを介してデータを送受信するように構成される。上記ネットワークの具体的な実例は、端末１２０の通信業者により提供される無線ネットワークを含んでもよい。一実例において、伝送装置１２０６は、ネットワークアダプタデバイス（ＮＩＣ：Ｎｅｔｗｏｒｋ  Ｉｎｔｅｒｆａｃｅ  Ｃｏｎｔｒｏｌｌｅｒ）を含み、それは、基地局を介して他のネットワーク装置と接続することで、インターネットと通信することができる。一実例において、伝送装置１２０６は、無線方式でインターネットと通信するための無線周波数（ＲＦ：Ｒａｄｉｏ  Ｆｒｅｑｕｅｎｃｙ）モジュールであってもよい。
【０１０９】
本発明の実施例に記載の技術的解決手段は、矛盾しない限り、任意に組み合わせすることができる。
【０１１０】
本発明で提供する幾つかの実施例で開示した方法及びインテリジェント装置は、他の方式によって実現できることを理解すべきである。以上に記載した装置の実施例はただ例示的なもので、例えば、前記ユニットの分割はただロジック機能の分割で、実際に実現する時は他の分割方式によってもよい。例えば、複数のユニット又は組立体を組み合わせてもよいし、別のシステムに組み込んでもよい。又は若干の特徴を無視してもよいし、実行しなくてもよい。また、示したか或いは検討した相互間の結合又は直接的な結合又は通信接続は、幾つかのインターフェイス、装置又はユニットによる間接的な結合又は通信接続であってもよく、電気的、機械的または他の形態であってもよい。
【０１１１】
分離部材として説明した該ユニットは、物理的に別個のものであってもよいし、そうでなくてもよい。ユニットとして示された部材は、物理的ユニットであってもよいし、そうでなくてもよい。即ち、同一の位置に位置してもよいし、複数のネットワークに分布してもよい。実際の需要に応じてそのうちの一部又は全てのユニットにより本実施例の方策の目的を実現することができる。
【０１１２】
また、本発明の各実施例における各機能ユニットは一つの第２処理ユニットに集積されてもよいし、各ユニットが物理的に別個のものとして存在してもよいし、２つ以上のユニットが一つのユニットに集積されてもよい。上記集積したユニット、ハードウェアの形で実現してもよいし、ハードウェアとソフトウェアユニットの組み合わせという形で実現してもよい。
【０１１３】
以上は本発明の具体的な実施形態に過ぎず、本発明の保護の範囲はそれらに制限されるものではなく、当業者が本発明に開示された技術範囲内で容易に想到しうる変更や置換はいずれも、本発明の保護範囲内に含まれるべきである。
【図１】
2021511694.tif 000004
【図２】
2021511694.tif 000005
【図３】
2021511694.tif 000006
【図４】
2021511694.tif 000007
【図５】
2021511694.tif 000008
【図６】
2021511694.tif 000009
【図７】
2021511694.tif 000010
【図８】
2021511694.tif 000011
【図９】
2021511694.tif 000012
【図１０】
2021511694.tif 000013
【図１１】
2021511694.tif 000014
【図１２】
2021511694.tif 000015
【手続補正書】
【提出日】令和2年7月30日(2020.7.30)
【手続補正１】
【補正対象書類名】特許請求の範囲
【補正対象項目名】全文
【補正方法】変更
【補正の内容】
【特許請求の範囲】
【請求項１】
ランダムアクセス方法であって、
端末が、ネットワークからのページングメッセージを受信することと、
前記端末が、前記ページングメッセージに関連するランダムアクセス制御情報を決定することと、
前記端末が、前記ランダムアクセス制御情報に基づいて、ランダムアクセスリソースを決定することと、
前記端末が、前記ランダムアクセスリソースを利用してランダムアクセスを開始することと、を含む、前記方法。
【請求項２】
前記端末が前記ページングメッセージに関連するランダムアクセス制御情報を決定することは、
前記端末が、前記ページングメッセージからランダムアクセス制御情報を取得することを含むことを特徴とする
請求項１に記載の方法。
【請求項３】
前記ページングメッセージに端末情報が含まれ、前記端末情報は少なくとも、端末のユーザ識別子、及びランダムアクセス制御情報を含むことを特徴とする
請求項２に記載の方法。
【請求項４】
前記ページングメッセージからランダムアクセス制御情報を取得することは、
前記端末が、ページングメッセージにおける端末のユーザ識別子の位置に基づいて、ランダムアクセス制御情報を決定することを含むことを特徴とする
請求項２に記載の方法。
【請求項５】
前記ランダムアクセス制御情報は、ランダムアクセス優先度情報、ランダムアクセスリソース情報及びランダムアクセス時間情報のうちの少なくとも１つを含むことを特徴とする
請求項２から４のいずれか一項に記載の方法。
【請求項６】
ランダムアクセス方法であって、
ネットワークが、端末にページングメッセージを送信することと、
前記ネットワークが、端末が前記ランダムアクセスリソースによって開始されたランダムアクセスを受信し、ここで、前記ランダムアクセスリソースは、前記ページングメッセージに関連するランダムアクセス制御情報に基づいて決定されることと、を含む、前記方法。
【請求項７】
前記方法は、
前記ネットワークが、前記ページングメッセージでランダムアクセス制御情報を指示することを更に含むことを特徴とする
請求項６に記載の方法。
【請求項８】
前記ネットワークが前記ページングメッセージでランダムアクセス制御情報を指示することは、
前記ネットワークが、前記ページングメッセージによって端末情報を搬送し、前記端末情報は少なくとも、端末のユーザ識別子、及びランダムアクセス制御情報を含むことを含むことを特徴とする
請求項７に記載の方法。
【請求項９】
前記ネットワークが前記ページングメッセージでランダムアクセス制御情報を指示することは、
前記ネットワークが、前記ページングメッセージにおいて、ページングメッセージにおける端末のユーザ識別子の位置によって、ランダムアクセス制御情報を指示することを含むことを特徴とする
請求項７に記載の方法。
【請求項１０】
前記ランダムアクセス制御情報は、ランダムアクセス優先度情報、ランダムアクセスリソース情報及びランダムアクセス時間情報のうちの少なくとも１つを含むことを特徴とする
請求項７から９のいずれか一項に記載の方法。
【請求項１１】
端末のためのランダムアクセス装置であって、
ネットワークからのページングメッセージを受信するように構成される受信ユニットと、
前記ページングメッセージに関連するランダムアクセス制御情報を決定するように構成される第１決定ユニットと、
前記ランダムアクセス制御情報に基づいて、ランダムアクセスリソースを決定するように構成される第２決定ユニットと、
前記ランダムアクセスリソースを利用してランダムアクセスを開始するように構成される送信ユニットとを備える、前記装置。
【請求項１２】
前記第１決定ユニットは具体的には、前記ページングメッセージからランダムアクセス制御情報を取得するように構成されることを特徴とする
請求項１１に記載の装置。
【請求項１３】
前記ページングメッセージに端末情報が含まれ、前記端末情報は少なくとも、前記端末のユーザ識別子、及びランダムアクセス制御情報を含むことを特徴とする
請求項１２に記載の装置。
【請求項１４】
前記第１決定ユニットは具体的には、ページングメッセージにおける前記端末のユーザ識別子の位置に基づいて、ランダムアクセス制御情報を決定するように構成されることを特徴とする
請求項１２に記載の装置。
【請求項１５】
ランダムアクセス装置であって、
請求項６から１０のいずれか一項に記載の方法を実行する、
前記装置。
【国際調査報告】
2021511694.tif 000016
2021511694.tif 000017
2021511694.tif 000018
2021511694.tif 000019